(57)【特許請求の範囲】
【請求項１】
加熱される触媒線と成膜ガスとの接触によって基板に薄膜を成膜する成膜室を備えた成膜装置であって、
前記成膜室の上側に連結して端子を収容する収容室を備え、
前記触媒線が、前記端子から前記成膜室へ延びる直線部分を有して折り曲げられて、タングステン、白金、イリジウム、タンタル、グラファイト、モリブデン、ニクロムからなる群から選択される少なくともいずれか一つの高融点金属からなり、
前記成膜室における上側には、前記成膜室を上下方向へ貫通する貫通孔が形成され、前記貫通孔は前記成膜室と前記収容室との間を連通し、
前記収容室に設けられ、前記触媒線が移動可能な連通孔が形成されて前記触媒線の直線部分が前記成膜室に配置された状態で前記貫通孔を覆うブロックと、
前記成膜室内に設けられ、前記触媒線の直線部分が前記成膜室に配置された状態で前記連通孔を覆うシャッターと、をさらに備える
ことを特徴とする成膜装置。
【請求項２】
請求項１に記載の成膜装置であって、
前記シャッターは、前記触媒線の直線部分を出し入れ可能な開放スリットを有することを特徴とする成膜装置。
【請求項３】
請求項１又は２に記載の成膜装置であって、
前記触媒線の直線部分が前記成膜室に配置された状態で前記連通孔を覆う前記シャッターの位置を閉位置とし、
前記連通孔を開放する前記シャッターの位置を開位置とし、
成膜ガスとクリーニングガスとを選択的に前記成膜室へ供給するガス供給部と、
前記シャッターの駆動を制御する制御部と、を備え、
前記ガス供給部が前記成膜ガスを供給する場合には、前記シャッターを前記開位置に配置し、前記端子を移動して前記連通孔を通して前記触媒線の直線部分を前記成膜室に配置し、その後、前記シャッターを前記閉位置に配置して前記連通孔を前記シャッターで覆い、
前記ガス供給部が前記クリーニングガスを供給する場合には、前記シャッターを前記開
位置に配置し、前記端子を移動して前記触媒線の全体を前記収容室へ収容し、その後、前記シャッターを前記閉位置に配置して前記連通孔を前記シャッターで再び覆う
ことを特徴とする成膜装置。
【請求項４】
請求項１〜３のいずれか１つに記載の成膜装置であって、
前記薄膜は、シリコン酸化物とシリコン窒化物の少なくともいずれか一方であり、
前記シャッターは、石英、アルミナ、イットリア、ジルコニア、ダイアモンドライクカーボンからなる群から選択されるいずれか一つの絶縁体からなることを特徴とする成膜装置。
【請求項５】
請求項１〜４のいずれか１つに記載の成膜装置であって、
前記触媒線は、上下方向を含む一つの面に沿ったＵ字状、Ｖ字状、Ｗ字状、Ｙ字状、コ字状からなる群から選択されるいずれか一つの形状を呈し、
前記連通孔は、前記面に沿って前記ブロックを貫通する孔であること
を特徴とする成膜装置。
【請求項６】
請求項１〜５のいずれか１つに記載の成膜装置であって、
前記触媒線は、前記端子から下方に延びる直線部分の下端で折り曲げられた形状を呈することを特徴とする成膜装置。
【請求項７】
基板を成膜室へ搬入して加熱される触媒線と成膜ガスとの接触によって前記基板に薄膜を成膜する成膜方法であって、
前記成膜室の上側には、端子を収容する収容室が連結され、
前記成膜室における上側には、前記成膜室を上下方向へ貫通する貫通孔が形成され、前記貫通孔は前記成膜室と前記収容室との間を連通し、
前記収容室には、前記触媒線が移動可能な連通孔が形成されて前記触媒線の直線部分が前記成膜室に配置された状態で前記貫通孔を覆うブロックが設けられ、
前記成膜室内には、前記触媒線の直線部分が前記成膜室に配置された状態で前記連通孔を覆う閉位置と前記連通孔を開放する開位置とに移動するシャッターが設けられ、
前記シャッターを前記開位置に配置して前記連通孔を開けて、前記収容室に収容された端子を第一位置から第二位置へ下降させることにより、前記端子から下方へ延びる直線部分を有して折り曲げられた前記触媒線の一部を前記収容室から前記成膜室へ移動し、その後、前記シャッターを前記閉位置に配置して前記連通孔を前記シャッターで閉じてから前記成膜室へ成膜ガスを供給することにより前記基板に前記薄膜を成膜する工程と、
前記シャッターを前記開位置に配置して前記連通孔を開けて、前記端子を前記第二位置から前記第一位置へ上昇させることにより、前記触媒線を前記収容室へ収容し、その後、前記シャッターを前記閉位置に配置して前記連通孔を前記シャッターで閉じてから前記成膜室へクリーニングガスを供給することにより前記成膜室をクリーニングする工程と、を有することを特徴とする成膜方法。
【発明の詳細な説明】
【技術分野】
【０００１】
本発明は、成膜装置及び成膜方法に関する。
【背景技術】
【０００２】
半導体装置の製造技術においては、原料物質の化学反応を利用して基板に薄膜を成膜する化学的気相成長（ＣＶＤ：Chemical Vapor Deposition ）法が用いられている。ＣＶＤ法としては、高温に加熱した基板表面で化学反応を進行させる熱ＣＶＤ法と、反応容器内に発生させたプラズマによって化学反応を進行させるプラズマＣＶＤ法とが知られている。熱ＣＶＤ法とプラズマＣＶＤ法とは、それぞれ基板をプラズマ空間に曝したり、あるいは基板を高温に加熱したりするため、基板や下地膜に電気的、熱的損傷を与え易い問題を有している。また、これらのＣＶＤ法は、膜厚や膜質の均一性を得るために、プラズマ密度や基板温度に高い均一性を要求することから、基板の大型化に対応し難い。そこで、ＣＶＤ技術では、従来から、上記問題を解決するため、加熱したタングステン等の触媒線に原料ガスを接触させて原料ガスを成膜種に分解する触媒ＣＶＤ法が注目されている（例えば、特許文献１）。
【０００３】
触媒作用を成膜反応に利用する触媒ＣＶＤ法は、触媒線の表面が化学反応の進行を担い、基板へのプラズマ照射や基板の高温加熱を必要としないことから、基板や下地膜への電気的、熱的損傷を大幅に抑制できる。また、触媒ＣＶＤ法は、触媒線を増量するだけで反応系を拡張できるため、基板の大型化に対しても比較的容易に対応できる。
【０００４】
触媒ＣＶＤ法における触媒線と基板主面との間の距離は、基板へ供給する成膜種の量を規定する要素であるため、薄膜の成膜速度や膜厚均一性を大きく左右する。例えば、基板主面が触媒線に近づくと、成膜速度は速くなり、基板主面と触媒線との間の距離が均一になると、膜厚分布は均一になる。特許文献２は、成膜速度や膜厚均一性を向上させるため、基板主面の面方向と鉛直方向とを平行に配置させ、Ｕ字状を呈する触媒線を鉛直方向に沿って、すなわち基板主面に沿って吊下げる。これによれば、触媒線の熱膨張や触媒線の伸長による撓みが大幅に軽減されることから、基板主面を触媒線へ近づける場合であっても、基板主面と触媒線との間の距離の均一化を図ることができる。
【特許文献１】特許第３７８０３６４号
【特許文献２】特開２０００−３０３１８２号公報
【発明の開示】
【発明が解決しようとする課題】
【０００５】
ＣＶＤ法を用いて複数の基板に成膜処理を施す場合、原料物質の化学反応が成膜室内で繰り返されることから、成膜処理ごとに残存する成膜種が、成膜室内に堆積し続けてしまう。成膜室内に堆積する成膜残渣は、基板に向けて飛散してパーティクルを増加させたり、成膜状態の経時的な変動を招いたりする。そのため、ＣＶＤ法を利用する成膜装置では、一般的に、ハロゲン等のクリーニングガスの活性種を成膜室内に供給して成膜残渣を化学的に除去する、いわゆるクリーニングを定期的に実施しなければならない。一方、触媒ＣＶＤ法に用いる触媒線は、クリーニングガスの活性種と長期にわたって接触すると、活性種との反応によって揮発性の化合物を生成し、加熱温度の不安定化や断線等を招いてしまう。そこで、触媒ＣＶＤ法を利用する成膜装置においては、成膜室内のクリーニングを実施するために、触媒線を成膜室から退避させる機構が強く望まれている。そして、触媒線退避機構としては、成膜室上部に基板退避室を設けることが考えられ、成膜室の上側面には、基板退避室と連通するための通路、すなわち貫通孔が必要になる。
【０００６】
ところで、成膜ガスとして、シランガスを用いる場合には、触媒線に使用されるタングステン等の高融点金属がシランガスと反応して、シリサイド化してしまう。シリサイド化した触媒線は、その機械的な劣化に伴い、触媒線を保持するホルダと触媒線との接続箇所で触媒線を断線させてしまう。
【０００７】
上記基板退避室を有する触媒線ＣＶＤ装置では、成膜処理を行うとき、触媒線が前記貫通孔を通じて成膜室内に配置されて、触媒線を保持するホルダが基板退避室に配置される。この状態から成膜室で成膜処理を行うと、成膜室内の成膜ガスが上記貫通孔を通して基板退避室へ漏洩し、基板退避室にあるホルダと触媒線との間の接続箇所等、比較的低温になる触媒線の部分が腐食されてしまう。
【０００８】
本発明は、上記問題を解決するためになされたものであって、触媒線を用いた成膜室における成膜処理と、触媒線を退避させた成膜室におけるクリーニング処理とを円滑に実行可能にした成膜装置及び成膜方法を提供することを目的とする。
【課題を解決するための手段】
【０００９】
請求項１に記載の成膜装置は、加熱される触媒線と成膜ガスとの接触によって基板に薄膜を成膜する成膜室を備えた成膜装置であって、前記成膜室の上側に連結して端子を収容する収容室を備え、前記触媒線が、前記端子から前記成膜室へ延びる直線部分を有して折り曲げられて、タングステン、白金、イリジウム、タンタル、グラファイト、モリブデン、ニクロムからなる群から選択される少なくともいずれか一つの高融点金属からなり、前記成膜室における上側には、前記成膜室を上下方向へ貫通する貫通孔が形成され、前記貫通孔は前記成膜室と前記収容室との間を連通し、前記収容室に設けられ、前記触媒線が移動可能な連通孔が形成されて前記触媒線の直線部分が前記成膜室に配置された状態で前記貫通孔を覆うブロックと、前記成膜室内に設けられ、前記触媒線の直線部分が前記成膜室に配置された状態で前記連通孔を覆うシャッターと、をさらに備えることを要旨とする。
【００１０】
請求項１に記載の成膜装置によれば、収容室に設けられたブロックにより、成膜室と収容室との間の流路抵抗を増幅でき、成膜室から収容室への成膜ガスの漏洩を抑制できることから、触媒線の腐食を抑制することができる。したがって、本成膜装置は、触媒線を用いた成膜室における成膜処理と、触媒線を退避させた成膜室におけるクリーニング処理とを円滑に実行できる。
【００１２】
また、成膜室と収容室との間の流路抵抗をシャッターの分だけ増幅でき、成膜室から収容室への成膜ガスの漏洩を、さらに抑制できる。したがって、この成膜装置は、触媒線を用いた成膜室における成膜処理と、触媒線を退避させた成膜室におけるクリーニング処理とを、より円滑に実行できる。また、この成膜装置によれば、成膜種がシャッターに付着するため、シャッターをクリーニングすることにより、パーティクルの原因となる成膜種を確実に除去できる。
【００１３】
請求項２に記載の成膜装置は、請求項２に記載の成膜装置であって、前記シャッターが、前記触媒線の直線部分を出し入れ可能な開放スリットを有することを要旨とする。
請求項２に記載の成膜装置によれば、シャッターが連通孔を閉じることから、成膜室と収容室との間の流路抵抗を増幅できる。すなわち、この成膜装置は、触媒線を用いた成膜処理を実行する際に、成膜室から収容室への成膜ガスの漏洩を抑制できる。そして、この成膜装置は、シャッターが触媒線の直線部分を前記成膜室へ配置することを可能とする開放スリットとを有することから、折り曲げられた触媒線を、成膜室と収容室との間で円滑に昇降できる。したがって、この成膜装置は、触媒線を用いた成膜室における成膜処理と、触媒線を退避させた成膜室におけるクリーニング処理とを円滑に実行できる。
【００１４】
請求項３に記載の成膜装置は、請求項１又は２に記載の成膜装置であって、前記触媒線の直線部分が前記成膜室に配置された状態で前記連通孔を覆う前記シャッターの位置を閉位置とし、前記連通孔を開放する前記シャッターの位置を開位置とし、成膜ガスとクリーニングガスとを選択的に前記成膜室へ供給するガス供給部と、前記シャッターの駆動を制御する制御部と、を備え、前記ガス供給部が前記成膜ガスを供給する場合には、前記シャッターを前記開位置に配置し、前記端子を移動して前記連通孔を通して前記触媒線の直線部分を前記成膜室に配置し、その後、前記シャッターを前記閉位置に配置して前記連通孔を前記シャッターで覆い、前記ガス供給部が前記クリーニングガスを供給する場合には、前記シャッターを前記開位置に配置し、前記端子を移動して前記触媒線の全体を前記収容室に収容し、その後、前記シャッターを前記閉位置に配置して前記連通孔を前記シャッターで再び覆うことを要旨とする。
【００１５】
請求項３に記載の成膜装置によれば、ガス供給部が成膜室へ成膜ガスを供給するとき、制御部は、触媒線を成膜室へ移動させ、その後にシャッターで連通孔を覆う。また、ガス供給部が成膜室へクリーニングガスを供給するとき、制御部は、触媒線を収容室へ収容し、その後に連通孔を閉じる。したがって、この成膜装置は、触媒線を用いた成膜室における成膜処理と、触媒線を退避させた成膜室におけるクリーニング処理とを、より円滑に実行できる。
【００１６】
請求項４に記載の成膜装置は、請求項１〜３のいずれか１つに記載の成膜装置であって、前記薄膜は、シリコン酸化物とシリコン窒化物の少なくともいずれか一方であり、前記シャッターは、石英、アルミナ、イットリア、ジルコニア、ダイアモンドライクカーボンからなる群から選択されるいずれか一つの絶縁体からなることを要旨とする。
【００１７】
請求項４に記載の成膜装置によれば、触媒線が１８００℃〜２０００℃になる場合であっても、該触媒線の近傍にあるシャッターが変形し難い。したがって、この成膜装置は、シャッターが熱的に変形し難いことから、成膜処理の温度範囲、ひいては適用範囲を拡大できる。
【００１８】
請求項５に記載の成膜装置は、請求項１〜４のいずれか１つに記載の成膜装置であって、前記触媒線が、上下方向を含む一つの面に沿ったＵ字状、Ｖ字状、Ｗ字状、Ｙ字状、コ字状からなる群から選択されるいずれか一つの形状を呈し、前記連通孔が、前記面に沿って前記ブロックを貫通する孔であることを要旨とする。
【００１９】
請求項５に記載の成膜装置によれば、連通孔が上下方向を含む二次元形状を呈することから、連通孔を円形孔や矩形孔等によって構成する場合に比べて、成膜室と収容室との間の流路抵抗を、さらに増幅できる。したがって、この成膜装置は、触媒線を用いた成膜室における成膜処理と、触媒線を退避させた成膜室におけるクリーニング処理とを、さらに円滑に実行できる。
【００２０】
請求項６に記載の成膜装置は、請求項１〜５のいずれか１つに記載の成膜装置であって、前記触媒線は、前記端子から下方に延びる直線部分の下端で折り曲げられた形状を呈することを要旨とする。
【００２１】
請求項６に記載の成膜装置によれば、収容室が成膜室の上側に連結されることから、成膜装置における設置面積の縮小化を図ることができる。
請求項７に記載の成膜方法は、基板を成膜室へ搬入して加熱される触媒線と成膜ガスとの接触によって前記基板に薄膜を成膜する成膜方法であって、前記成膜室の上側には、端子を収容する収容室が連結され、前記成膜室における上側には、前記成膜室を上下方向へ貫通する貫通孔が形成され、前記貫通孔は前記成膜室と前記収容室との間を連通し、前記収容室には、前記触媒線が移動可能な連通孔が形成されて前記触媒線の直線部分が前記成膜室に配置された状態で前記連通孔を覆うブロックが設けられ、前記成膜室内には、前記触媒線の直線部分が前記成膜室に配置された状態で前記連通孔を覆う閉位置と前記連通孔を開放する開位置とに移動するシャッターが設けられ、前記シャッターを前記開位置に配置して前記連通孔を開けて、前記収容室に収容された端子を第一位置から第二位置へ下降させることにより、前記端子から下方へ延びる直線部分を有して折り曲げられた前記触媒線の一部を前記成膜室へ移動し、その後、前記シャッターを前記閉位置に配置して前記連通孔を前記シャッターで閉じてから前記成膜室へ成膜ガスを供給することにより前記基板に前記薄膜を成膜する工程と、前記シャッターを前記開位置に配置して前記連通孔を開けて、前記端子を前記第二位置から前記第一位置へ上昇させることにより、前記触媒線を前記収容室へ収容し、その後、前記シャッターを前記閉位置に配置して前記連通孔を前記シャッターで閉じてから前記成膜室へクリーニングガスを供給することにより前記成膜室をクリーニングする工程と、を有することを要旨とする。
【００２２】
請求項７に記載の成膜方法によれば、シャッターが連通孔を閉じることから、成膜室と収容室との間の流路抵抗を増幅できる。すなわち、本成膜方法は、触媒線を用いた成膜処理を実行する際に、成膜室から収容室への成膜ガスの漏洩を抑制できる。したがって、本成膜装置は、触媒線を用いた成膜室における成膜処理と、触媒線を退避させた成膜室におけるクリーニング処理とを円滑に実行できる。
【発明の効果】
【００２３】
上記したように、本発明によれば、端子と触媒線との間の接続箇所等の腐食を防止することによって、触媒線を用いた成膜室における成膜処理と、触媒線を退避させた成膜室におけるクリーニング処理とを円滑に実行可能にした成膜装置及び成膜方法を提供することができる。
【発明を実施するための最良の形態】
【００２４】
以下、本発明を具体化した一実施形態を図面に従って説明する。図１は、成膜装置としての半導体装置の製造装置１０を模式的に示す平面図である。
（半導体装置の製造装置１０）
図１において、半導体装置の製造装置１０は、クラスター形式の製造装置であり、搬送チャンバ１１には、基板Ｓを収容する２つのロードロックチャンバ（以下単に、ＬＬチャンバ１２という。）と、基板Ｓに成膜処理を施すための複数の触媒ＣＶＤチャンバ１３とが連結されている。
【００２５】
搬送チャンバ１１は、図示しない排気ラインに連結された真空チャンバであり、その内部には基板Ｓを搬送するための搬送ロボット１４を搭載する。搬送ロボット１４は、ＬＬチャンバ１２と各触媒ＣＶＤチャンバ１３との間において、基板Ｓの主面Ｓａを水平にした状態で基板Ｓを搬送する。なお、基板Ｓの主面Ｓａとは、基板Ｓの一つの側面であって、成膜処理における下地となる側面である。以下、主面Ｓａの面方向を基板Ｓの面方向という。
【００２６】
各ＬＬチャンバ１２は、それぞれゲートバルブＧＶ１を介して搬送チャンバ１１に連結され、ゲートバルブＧＶ１が開くときに搬送チャンバ１１と連通し、ゲートバルブＧＶ１が閉じるときに搬送チャンバ１１から隔絶される。各ＬＬチャンバ１２は、それぞれ成膜処理前の基板Ｓを一旦収容し、該基板Ｓを搬送チャンバ１１へ搬入可能にする。また、各ＬＬチャンバ１２は、搬送チャンバ１１から搬出された成膜処理後の基板Ｓを一旦収容し、該基板Ｓを外部へ移載可能にする。
【００２７】
各触媒ＣＶＤチャンバ１３は、それぞれゲートバルブＧＶ１を介して搬送チャンバ１１に連通可能に連結された真空チャンバであり、触媒線を用いた成膜処理を実行する。各触媒ＣＶＤチャンバ１３は、それぞれゲートバルブＧＶ１を介して搬送チャンバ１１に連結され、ゲートバルブＧＶ１が開くときに搬送チャンバ１１と連通し、ゲートバルブＧＶ１が閉じるときに搬送チャンバ１１から隔絶される。
【００２８】
（触媒ＣＶＤチャンバ１３）
次に、触媒ＣＶＤチャンバ１３について以下に説明する。図２（ａ）は触媒ＣＶＤチャンバ１３を示す側断面図であり、図２（ｂ）は図２（ａ）のＡ−Ａ断面図である。なお、以下では、搬送チャンバ１１から触媒ＣＶＤチャンバへ向かう水平方向をＹ方向とし、鉛直方向上方をＺ方向、これらＹ方向及びＺ方向と直交する方向をＸ方向と言う。
【００２９】
図２（ａ）において、成膜室２１の下側には、ターボ分子ポンプ等からなる第一排気部２２が搭載されている。第一排気部２２は、所定の駆動信号に基づいて成膜室２１の排気動作を実行し、該駆動信号に応じた排気速度で成膜室２１を減圧する。
【００３０】
成膜室２１におけるＹ方向の外側面には、ガス供給系２３が連結されている。ガス供給系２３は、成膜ガスを供給するための成膜ガス供給部２４と、クリーニングガスを供給するためのクリーニングガス供給部２５と、クリーニングガス供給部２５と成膜室２１との間に設けられたリモートプラズマ源２６とを有する。
【００３１】
触媒ＣＶＤチャンバ１３が成膜処理を実行するとき、成膜ガス供給部２４は、成膜ガスを供給するための駆動信号に基づいて駆動し、該駆動信号に応じた流量で成膜ガスを成膜室２１へ供給する。また、触媒ＣＶＤチャンバ１３がクリーニング処理を実行するとき、クリーニングガス供給部２５は、クリーニングガスを供給するための駆動信号に基づいて駆動し、該駆動信号に応じた流量でクリーニングガスをリモートプラズマ源２６へ供給する。リモートプラズマ源２６は、プラズマを生成するための駆動信号に基づいて駆動し、該駆動信号に応じた電力でクリーニングガスをプラズマ化し、活性化したクリーニングガスを成膜室２１へ供給する。
【００３２】
成膜室２１におけるＹ方向の内側面には、成膜ガス供給部２４に連結されてＸＺ平面に沿って広がる円盤状のシャワープレート２７が取付けられている。シャワープレート２７の中央部には、リモートプラズマ源２６に連通する円形孔（以下単に、クリーニングポート２７ａという。）が形成され、クリーニングポート２７ａには、クリーニングポート２７ａの反Ｙ方向を遮蔽するコマ状の遮蔽部材２７ｂが配設されている。
【００３３】
触媒ＣＶＤチャンバ１３が成膜処理を実行するとき、シャワープレート２７は、成膜ガス供給部２４からの成膜ガスをＸＺ方向に拡散させて成膜室２１の内部へ導入する。シャワープレート２７から導入された成膜ガスは、第一排気部２２の排気動作に従って、シャワープレート２７から第一排気部２２へ拡散する。
【００３４】
触媒ＣＶＤチャンバ１３がクリーニング処理を実行するとき、クリーニングポート２７ａは、クリーニングガス供給部２５からのクリーニングガスを成膜室２１の内部へ導入する。遮蔽部材２７ｂは、クリーニングポート２７ａから導入されるクリーニングガスのＹ方向への拡散を遮蔽し、該クリーニングガスを成膜室２１の内側壁に向けて拡散させる。
【００３５】
なお、成膜処理としてシリコン膜を成膜する場合には、成膜ガスにシラン（ＳｉＨ４）と水素（Ｈ２）を用いることができ、シリコン窒化膜を形成する場合には、シランとアンモニア（ＮＨ３）を用いることができる。また、シリコン酸化窒化膜を形成する場合には、成膜ガスにシランと亜酸化窒素（Ｎ２Ｏ）を用いることができる。また、ダイアモンドライクカーボン膜を成膜する場合にはＣＨ４とＨ２を用いることができる。クリーニング処理としてシリコン膜を除去する場合には、クリーニングガスに、例えば、Ｏ２、ＮＨ３、Ｈ２や三フッ化窒素（ＮＦ３）と窒素（Ｎ２）とアルゴン（Ａｒ）とからなる混合ガスを用いることができる。
【００３６】
成膜室２１の内部には、基板Ｓを支持する静電チャック２８と、静電チャック２８を回動するための回動機構２９とを有する。静電チャック２８は、搬送チャンバ１１から搬入
される基板Ｓを受けて該基板Ｓを静電気的に吸着するとともに、吸着した基板Ｓの温度を室温に維持する。
【００３７】
回動機構２９は、Ｘ方向に沿って延びる回動軸Ａを有し、静電チャック２８を搬送位置と処理位置との間で回動する。搬送位置とは、図２（ａ）における二点鎖線位置であって、基板Ｓの面方向と水平方向とを平行にする位置である。処理位置とは、図２（ａ）における実線位置であって、基板Ｓの面方向と鉛直方向とを平行にする位置である。
【００３８】
触媒ＣＶＤチャンバ１３が基板Ｓを搬入するとき、回動機構２９は、搬送位置を選択するための駆動信号に基づいて静電チャック２８を搬送位置へ回動し、基板Ｓの面方向と水平方向とを平行にした状態で基板Ｓを静電チャック２８に吸着させる。また、触媒ＣＶＤチャンバ１３が基板Ｓを搬出するとき、回動機構２９は、搬送位置を選択するための駆動信号を受けて静電チャック２８を搬送位置へ回動し、基板Ｓの面方向と水平方向とを平行にした状態で基板Ｓの吸着を解除させる。
【００３９】
触媒ＣＶＤチャンバ１３が成膜処理を実行するとき、すなわち、ガス供給系２３が成膜室２１へ成膜ガスを供給するとき、回動機構２９は、静電チャック２８を処理位置へ回動し、基板Ｓの面方向と鉛直方向とを平行にした状態で主面Ｓａとシャワープレート２７とを対向させる。また、触媒ＣＶＤチャンバ１３がクリーニング処理を実行するとき、すなわち、ガス供給系２３が成膜室２１にクリーニングガスを供給するとき、回動機構２９は、静電チャック２８を処理位置へ回動する。
【００４０】
図２（ａ）、（ｂ）に示すように、成膜室２１の上側であって、シャワープレート２７と静電チャック２８との間の空間の直上には、成膜室２１を上下方向へ貫通する孔（以下単に、貫通孔２１ａと言う。）が、成膜室２１のＸ方向の略全幅にわたり延びるように形成されている。また、成膜室２１の上側には、この貫通孔２１ａの全体を覆うように、収容室としての退避室３１が連結されている。
【００４１】
退避室３１は、Ｚ方向に沿って延びる箱体状に形成され、ターボ分子ポンプ等からなる第二排気部３２を搭載している。第二排気部３２は、所定の駆動信号に基づいて退避室３１の排気動作を実行し、該駆動信号に応じた排気速度によって退避室３１を減圧する。触媒ＣＶＤチャンバ１３が成膜処理を実行するとき、第二排気部３２は、退避室３１の内部圧力を成膜室２１の内部圧力よりも低くし、これによって退避室３１の内部における成膜ガスの滞在時間を短くする。
【００４２】
退避室３１と成膜室２１との間には、成膜室２１と退避室３１との間を開閉するゲートバルブＧＶ２が取付けられている。ゲートバルブＧＶ２は、弁体を開位置へ移動することによって退避室３１と成膜室２１との間を連通させ、弁体を閉位置へ移動することによって退避室３１を成膜室２１から隔絶させる。
【００４３】
退避室３１の内部であって、貫通孔２１ａの上側には、Ｘ方向に延びる直方体状に形成されたブロック３３が、貫通孔２１ａを覆うように固定されている。ブロック３３には、上下方向に貫通する複数の孔（以下単に、連通孔３３ｈと言う。）が形成されている。各連通孔３３ｈは、それぞれ貫通孔２１ａと協働して、成膜室２１と退避室３１との間を連通させる。本実施形態においては、各連通孔３３ｈと貫通孔２１ａとによって、連通路が構成されている。
【００４４】
退避室３１の内部であって、ブロック３３の上側には、Ｘ方向に延びる端子としてのホルダ３４が、上方及び下方へ移動可能に配設されている。ホルダ３４は、移動手段を構成する昇降機構３５の駆動軸に連結され、昇降機構３５が所定の駆動信号を受けて駆動する
とき、昇降機構３５の駆動量に応じた位置へ昇降する。なお、本実施形態においては、ホルダ３４の位置であって、最も下方にある位置（図２（ａ）に示す実線位置）を第二位置とし、ホルダ３４の位置であって、最も上方にある位置（図２（ａ）に示す二点鎖線位置）を第一位置と言う。
【００４５】
ホルダ３４の下側には、鉛直方向下方へ延びる複数の触媒線３６が、ホルダ３４の長手方向の略全幅にわたって吊下げられている。各触媒線３６は、それぞれタングステン、白金、イリジウム、タンタル、グラファイト、モリブデン、ニクロムからなる群から選択される少なくともいずれか一つの高融点金属からなる線材である。各触媒線３６は、それぞれ鉛直方向に沿って延びる直線部分を有し、Ｙ方向から見てＵ字状に曲折されている。
【００４６】
なお、本実施形態においては、触媒線３６の一部分であって、鉛直方向と異なる方向に延びる部分を曲折部３６ａとし、鉛直方向に沿って延びる部分を、直線部分３６ｂと言う。各触媒線３６は、それぞれブロック３３の連通孔３３ｈ及び貫通孔２１ａを介し、成膜室２１と退避室３１との間を移動する。ホルダ３４が第二位置に位置するとき、各触媒線３６は、図２の実線で示すように、それぞれ成膜室２１の内部に配置される。また、ホルダ３４が第一位置に位置するとき、各触媒線３６は、図２の二点鎖線で示すように、それぞれ退避室３１の内部に配置される。各触媒線３６は、それぞれ所定の駆動信号に基づいて駆動され、該駆動信号に応じた熱量、例えば１８００℃〜２０００℃に相当する熱量を発生することによって触媒作用を発現する。
【００４７】
成膜室２１の内部であって、貫通孔２１ａの下側には、貫通孔２１ａの下側を覆う板状に形成されたシャッター３７が、Ｙ方向へ往復移動可能に配設されている。シャッター３７は、石英からなる板材であって、開閉機構３８の駆動軸に連結され、開閉機構３８が所定の駆動信号を受けて駆動するとき、開閉機構３８の駆動量に応じた位置へ移動する。シャッター３７は、最も反Ｙ方向に位置するときに貫通孔２１ａの下側を閉じ、最もＹ方向に位置するときに貫通孔２１ａの下側を開ける。
【００４８】
なお、本実施形態においては、シャッター３７と開閉機構３８とによって、開閉手段が構成されている。また、本実施形態においては、シャッター３７の下面を、遮蔽面３７ｓと言う。また、シャッター３７の位置であって、最も反Ｙ方向にある位置（図２（ａ）に示す実線位置）を閉位置とし、最もＹ方向にある位置（図２（ａ）に示す二点鎖線位置）を開位置と言う。
【００４９】
次に、シャッター３７の開閉動作について以下に説明する。図３（ａ）はブロック３３及びシャッター３７の要部を示す側断面図であり、図３（ｂ）はシャッター３７を下から見た平面図である。なお、図３（ａ）、（ｂ）は、それぞれホルダ３４が第二位置にあって、かつ、シャッター３７が閉位置にある状態を示す。
【００５０】
図３（ａ）に示すように、ブロック３３には、上下方向（Ｚ方向）に沿って貫通する連通孔３３ｈが形成されている。図３（ｂ）に示すように、連通孔３３ｈは、上下方向から見て、Ｘ方向に沿って延びるように形成され、触媒線３６の曲折部３６ａと重なる位置に配設されている。
【００５１】
図３（ｂ）において、シャッター３７における反Ｙ方向の端部には、複数の開放スリット３７ａが形成されている。各開放スリット３７ａは、それぞれＸ方向の溝幅がＹ方向に向かって細くなる楔状に形成され、Ｘ方向に沿って配列されている。各開放スリット３７ａは、それぞれ上下方向から見て、触媒線３６の直線部分３６ｂと重なる位置に配設されている。シャッター３７は、上下方向から見て、連通孔３３ｈと開放スリット３７ａとが重なる領域で、成膜室２１と退避室３１との間を連通可能にする。すなわち、シャッター
３７は、触媒線３６における各直線部分３６ｂを出し入れすると共に、触媒線３６の外周を、それぞれ対応する開放スリット３７ａと連通孔３３ｈとによって囲み、連通孔３３ｈの下側の殆どを遮蔽面３７ｓで覆う。
【００５２】
図３において、シャッター３７がＹ方向へ移動して閉位置から開位置へ変位するとき、シャッター３７は、各開放スリット３７ａを連通孔３３ｈのＹ方向へ移動させる。これによって、シャッター３７は、成膜室２１と退避室３１との間を、連通孔３３ｈの全体を介して連通させ、触媒線３６の全体を、成膜室２１と退避室３１との間で移動可能にする。
【００５３】
反対に、シャッター３７が反Ｙ方向へ移動して開位置から閉位置へ変位するとき、シャッター３７は、各触媒線３６の直線部分３６ｂを、それぞれ対応する開放スリット３７ａへ進入させる。これによって、シャッター３７は、成膜室２１と退避室３１との間を、直線部分３６ｂの周辺のみで連通させ、成膜室２１と退避室３１との間の流路抵抗を増幅させる。なお、この際、触媒線３６の直線部分３６ｂが位置ズレ等によってＸ方向に変位する場合、シャッター３７は、各開放スリット３７ａの反Ｙ方向が幅広に形成されている分だけ、該直線部分３６ｂを、対応する開放スリット３７ａの内部へ進入させ易い。そして、シャッター３７は、該直線部分３６ｂに対応する開放スリット３７ａに沿って直線部分３６ｂを所定位置へ案内させ、該直線部分３６ｂの位置を補正できる。
【００５４】
次に、触媒ＣＶＤチャンバ１３の電気的構成について以下に説明する。図４及び図５は、それぞれ触媒ＣＶＤチャンバ１３の電気的構成を示すブロック回路図である。図４及び図５において、各構成要素を接続する一点鎖線は、電気的な接続であって、制御部４０が各種駆動信号を出力するための接続を示し、各構成要素を接続する破線は、電気的な接続であって、制御部４０が駆動信号を出力しない接続を示す。
【００５５】
図４及び図５において、制御部４０は、触媒ＣＶＤチャンバ１３に成膜処理及びクリーニング処理を実行させるものである。制御部４０は、各種演算処理を実行するためのＣＰＵ等からなる演算部４０Ａと、各種データや各種制御プログラムを格納するための記憶部４０Ｂとを有する。制御部４０は、記憶部４０Ｂに格納した成膜プログラム、クリーニングプログラム、及び各種データを読み出し、それぞれ成膜プログラム、クリーニングプログラム、及び各種データに従って各種処理を実行させる。
【００５６】
制御部４０は、各種プログラムに従って第一排気部２２に対応する駆動信号を生成し、該駆動信号を第一排気部２２へ出力する。第一排気部２２は、制御部４０からの駆動信号に応答して駆動し、該駆動信号に応じた排気速度で成膜室２１を減圧する。
【００５７】
制御部４０は、各種プログラムに従って成膜ガス供給部２４、クリーニングガス供給部２５、及びリモートプラズマ源２６に対応する各駆動信号を生成し、該各駆動信号をそれぞれ成膜ガス供給部２４、クリーニングガス供給部２５、及びリモートプラズマ源２６へ出力する。成膜ガス供給部２４は、制御部４０からの駆動信号に応答して駆動し、該駆動信号に応じた流量で成膜ガスを供給する。クリーニングガス供給部２５は、制御部４０からの駆動信号に応答して駆動し、該駆動信号に応じた流量でクリーニングガスを供給する。リモートプラズマ源２６は、制御部４０からの駆動信号に応答して駆動し、該駆動信号に応じた電力でクリーニングガスをプラズマ化する。
【００５８】
制御部４０は、各種プログラムに従って回動機構２９に対応する駆動信号を生成し、該駆動信号を回動機構２９へ出力する。回動機構２９は、制御部４０からの駆動信号に応答して駆動し、該駆動信号によって選択された搬送位置あるいは処理位置へ静電チャック２８を移動させる。
【００５９】
制御部４０は、各種プログラムに従って第二排気部３２に対応する駆動信号を生成し、該駆動信号を第二排気部３２へ出力する。第二排気部３２は、制御部４０からの駆動信号に応答して駆動し、該駆動信号に応じた排気速度で退避室３１を減圧する。制御部４０は、各種プログラムに従ってゲートバルブＧＶ２に対応する駆動信号を生成し、該駆動信号をゲートバルブＧＶ２へ出力する。ゲートバルブＧＶ２は、制御部４０からの駆動信号に応答して駆動し、該駆動信号によって成膜室２１と退避室３１との間を開閉する。
【００６０】
制御部４０は、各種プログラムに従って昇降機構３５に対応する駆動信号を生成し、該駆動信号を昇降機構３５へ出力する。昇降機構３５は、制御部４０からの駆動信号に応答して駆動し、該駆動信号によって選択された第二位置あるいは第一位置へホルダ３４を移動させる。制御部４０は、各種プログラムに従って各触媒線３６に対応する駆動信号を生成し、該駆動信号を各触媒線３６へ出力する。各触媒線３６は、それぞれ制御部４０からの駆動信号に応答して駆動し、該駆動信号に応じた電力で所定温度に昇温される。
【００６１】
制御部４０は、各種プログラムに従って開閉機構３８に対応する駆動信号を生成し、該駆動信号を開閉機構３８へ出力する。開閉機構３８は、制御部４０からの駆動信号に応答して駆動し、該駆動信号によって選択された開位置あるいは閉位置へシャッター３７を移動させる。
【００６２】
次に、触媒ＣＶＤチャンバ１３を用いて薄膜を成膜する成膜方法について以下に説明する。
図４において、制御部４０は、第一排気部２２及び第二排気部３２を駆動して成膜室２１及び退避室３１を所定圧力に減圧する。次いで、制御部４０は、静電チャック２８、ホルダ３４、及びシャッター３７をそれぞれ初期位置、すなわち搬送位置、第一位置、及び開位置に配置し、ゲートバルブＧＶ２を閉じる。
【００６３】
制御部４０は、静電チャック２８及び触媒線３６を初期位置に配置すると、基板Ｓを静電チャック２８に吸着させ、その後、回動機構２９を駆動して静電チャック２８を処理位置へ回動させる。また、制御部４０は、各触媒線３６にそれぞれ電力を供給して各触媒線３６を所定温度にセットする。
【００６４】
制御部４０は、各触媒線３６をそれぞれ所定温度にセットすると、ゲートバルブＧＶ２を開けた後、昇降機構３５を駆動してホルダ３４を第二位置へ移動させる。制御部４０は、ホルダ３４を第二位置へ配置させると、開閉機構３８を駆動してシャッター３７を閉位置へ移動させる。制御部４０は、シャッター３７を閉位置へ配置させると、成膜ガス供給部２４を駆動して、図４の実線矢印で示すように成膜室２１に成膜ガスを導入する。成膜室２１に導入された成膜ガスは、加熱された触媒線３６と接触し、触媒線３６の触媒作用を受けて成膜種に分解される。触媒線３６によって生成された成膜種の一部は、室温に保持された基板Ｓの主面Ｓａに堆積して薄膜を形成する。また、触媒線３６によって生成された成膜種の一部は、成膜室２１の内側面、特に触媒線３６の近傍、すなわちシャッター３７の下面や残渣領域ＤＡに堆積し、成膜残渣ＲＤを形成する。
【００６５】
この際、成膜室２１へ導入された成膜ガスは、シャッター３７が連通孔３３ｈを遮蔽することから、退避室３１へ流入し難くなる。そのため、退避室３１の内部にある各部は、成膜ガスとの接触確率を抑えられることから、その腐食を抑制できる。しかも、退避室３１の圧力が成膜室２１の圧力よりも低いことから、退避室３１の内部にある各部は、成膜ガスと接触確率をさらに抑えられる。また、ブロック３３、貫通孔２１ａ、及び連通孔３３ｈへの成膜種の堆積は、シャッター３７の遮蔽面３７ｓによって遮蔽される。
【００６６】
制御部４０は、基板Ｓに薄膜を形成すると、成膜ガス供給部２４に成膜ガスの供給を停
止させ、回動機構２９を駆動して静電チャック２８を搬送位置へ回動させる。そして、制御部４０は、静電チャック２８に基板Ｓの吸着を解除させ、静電チャック２８の上にある基板Ｓを搬送ロボット１４に搬出させて成膜処理を終了する。以後同様に、制御部４０は、複数の基板Ｓに対して上記成膜処理を繰り返して実行する。
【００６７】
図５において、制御部４０は、基板Ｓの処理枚数が所定枚数に到達すると、成膜室２１のクリーニング処理を開始する。すなわち、制御部４０は、回動機構２９を駆動して静電チャック２８を再び処理位置へ回動させる。次いで、制御部４０は、開閉機構３８を駆動してシャッター３７を閉位置から開位置へ移動させる。制御部４０は、シャッター３７を開位置へ配置させると、昇降機構３５を駆動してホルダ３４を第一位置へ移動させる。制御部４０は、ホルダ３４を第一位置へ配置させると、開閉機構３８を駆動してシャッター３７を開位置から閉位置へ移動させ、ゲートバルブＧＶ２を閉じて各触媒線３６への電力供給を停止する。
【００６８】
制御部４０は、各触媒線３６をそれぞれ退避室３１に退避させて成膜室２１から隔絶させると、クリーニングガス供給部２５及びリモートプラズマ源２６を駆動して成膜室２１に活性化したクリーニングガスを導入する。成膜室２１に導入されたクリーニングガスは、クリーニングポート２７ａを通過し、反Ｙ方向への流動が遮蔽部材２７ｂによって遮蔽され、図５の実線矢印で示すように、成膜室２１の内側面に向けて拡散する。活性化したクリーニングガスは、成膜室２１の内側面に堆積した残渣、すなわちシャッター３７の下面や残渣領域ＤＡに堆積した成膜残渣ＲＤと反応し、蒸発可能な反応生成物を生成して、成膜残渣ＲＤをクリーニングする。
【００６９】
この際、シャッター３７が成膜処理時と同じ閉位置に配置されることから、活性化したクリーニングガスは、成膜処理時に堆積した成膜残渣ＲＤの全てと反応し、該成膜残渣ＲＤをクリーニングできる。そして、退避室３１が成膜室２１と隔絶されていることから、各触媒線３６は、それぞれ活性化したクリーニングガスとの接触を確実に回避でき、その劣化を十分に抑制できる。
【００７０】
制御部４０は、クリーニングの開始から所定時間だけ経過すると、リモートプラズマ源２６への電力供給を停止させ、クリーニングガス供給部２５にクリーニングガスの供給を停止させる。これによって、制御部４０は、成膜室２１のクリーニング処理を終了する。
【００７１】
制御部４０は、クリーニング処理を終了して成膜処理を再び開始するとき、回動機構２９を駆動して静電チャック２８を搬送位置へ回動させ、基板Ｓを静電チャック２８に吸着させる。次いで、制御部４０は、回動機構２９を駆動して静電チャック２８を処理位置へ回動させ、各触媒線３６にそれぞれ電力を供給して各触媒線３６を所定温度にセットする。
【００７２】
制御部４０は、各触媒線３６をそれぞれ所定温度にセットすると、開閉機構３８を駆動してシャッター３７を閉位置から開位置へ移動させる。制御部４０は、シャッター３７を開位置へ配置させると、ゲートバルブＧＶ２を開け、昇降機構３５を駆動してホルダ３４を第二位置へ配置させる。そして、制御部４０は、各触媒線３６を成膜室２１へ配置させると、開閉機構３８を駆動してシャッター３７を開位置から閉位置へ移動させ、成膜室２１へ成膜ガスを導入して、成膜処理を開始する。
【００７３】
上記実施形態によれば、以下の効果を得ることができる。
（１）上記実施形態の触媒ＣＶＤチャンバ１３は、成膜室２１と退避室３１との間を連通して触媒線３６を移動可能にする連通孔３３ｈと、連通孔３３ｈを覆うように退避室３１に設けられて、触媒線３６のシリサイド化を防止するためのブロック３３とを有する。
したがって、触媒ＣＶＤチャンバ１３によれば、退避室３１に設けられたブロック３３により、成膜室２１と退避室３１との間の流路抵抗を増幅でき、成膜室２１から退避室３１への成膜ガスの漏洩を抑制できる。その結果、触媒ＣＶＤチャンバ１３は、触媒線３６のシリサイド化を防止することができ、触媒線３６を用いた成膜室２１における成膜処理と、触媒線３６を退避させた成膜室２１におけるクリーニング処理とを円滑に実行できる。
【００７４】
（２）上記実施形態の触媒ＣＶＤチャンバ１３は、水平方向へ往復移動することにより連通孔３３ｈを開閉するシャッター３７と、シャッター３７に形成されて水平方向へ延びる開放スリット３７ａとを有する。そして、触媒ＣＶＤチャンバ１３は、ホルダ３４が第二位置にある場合には、開放スリット３７ａが直線部分３６ｂを出し入れようにシャッター３７を往復移動することによって連通孔３３ｈを開閉する。
【００７５】
したがって、触媒ＣＶＤチャンバ１３は、シャッター３７が連通孔３３ｈを閉じることから、成膜室２１と退避室３１との間の流路抵抗を増幅でき、成膜処理を実行する際に、成膜室２１から退避室３１への成膜ガスの漏洩を抑制できる。そして、触媒ＣＶＤチャンバ１３は、シャッター３７が連通孔３３ｈを開けることから、折り曲げられた触媒線３６を、成膜室２１と退避室３１との間で円滑に昇降できる。
【００７６】
この結果、半導体装置の製造装置１０は、触媒線３６を用いた成膜室２１における成膜処理と、触媒線３６を退避させた成膜室２１におけるクリーニング処理とを円滑に実行できる。
【００７７】
（３）上記実施形態の触媒ＣＶＤチャンバ１３は、成膜ガスとクリーニングガスとを選択的に成膜室２１へ供給するガス供給系２３を有する。制御部４０は、ガス供給系２３が成膜ガスを供給する場合には、開閉機構３８を駆動して連通孔３３ｈを開けるとともに、昇降機構３５を駆動してホルダ３４を第二位置へ移動させ、その後、開閉機構３８を駆動して連通孔３３ｈを閉じる。また、制御部４０は、ガス供給系２３がクリーニングガスを供給する場合には、開閉機構３８を駆動して連通孔３３ｈを開けるとともに、昇降機構３５を駆動してホルダ３４を第一位置へ移動させ、その後、開閉機構３８を駆動して連通孔３３ｈを閉じる。
【００７８】
したがって、触媒ＣＶＤチャンバ１３は、触媒線３６を用いた成膜室２１における成膜処理と、触媒線３６を退避させた成膜室２１におけるクリーニング処理とを、より円滑に実行できる。
【００７９】
（４）上記実施形態の触媒線３６は、上下方向を含む一つの面に沿ったＵ字状を呈し、連通孔３３ｈは主面Ｓａに沿った貫通孔である。したがって、触媒ＣＶＤチャンバ１３は、連通孔３３ｈが上下方向を含む二次元形状を呈することから、連通孔３３ｈを円形孔や矩形孔等によって構成する場合に比べて、成膜室２１と退避室３１との間の流路抵抗を、さらに増幅できる。この結果、半導体装置の製造装置１０は、触媒線３６を用いた成膜室２１における成膜処理と、触媒線３６を退避させた成膜室２１におけるクリーニング処理とを、さらに円滑に実行できる。
【００８０】
（５）上記実施形態の薄膜は、シリコン酸化物であり、シャッター３７は石英からなる。したがって、シャッター３７が薄膜と同じ組成であることから、半導体装置の製造装置１０は、薄膜の高純度化を図ることができる。
【００８１】
尚、上記実施形態は、以下の態様で実施してもよい。
・上記実施形態の触媒線３６は、下方に延びる直線部分３６ｂを有して下端で折り曲げられた形状を呈するが、これに限らず、触媒線３６は、下方に延びる直線部分３６ｂの上
端や中間部で折り曲げられた形状であっても良い。
【００８２】
・上記実施形態では、触媒線３６を、上下方向を含む一つの面に沿ったＵ字状に具体化したが、これに限らず、例えば、Ｖ字状、Ｗ字状、Ｙ字状、コ状としても良い。すなわち、触媒線３６の形状は、直線部分３６ｂを有して折り曲げられた形状であれば良い。
【００８３】
・上記実施形態では、シャッター３７を、石英からなる板材に具体化したが、これに限らず、例えば、アルミナ、イットリア、ジルコニア等のセラミックやダイアモンドライクカーボンなどの絶縁体からなる板材に具体化しても良い。
【００８４】
・上記実施形態のシャッター３７は、直線部分３６ｂを出し入れする開放スリットを有した構成であるが、これに限らず、シャッター３７は、触媒線３６を出し入れ可能するスリットを有した構成であっても良い。
【００８６】
・上記実施形態では、成膜装置を半導体装置の製造装置に具体化したが、これに限らず、例えば成膜装置を液晶装置や光電変換装置の製造装置に具体化しても良い。
【図面の簡単な説明】
【００８７】
【図１】半導体装置の製造装置を示す平面図。
【図２】（ａ）及び（ｂ）は、それぞれ触媒ＣＶＤチャンバを示す側断面図及び正断面図。
【図３】（ａ）及び（ｂ）は、それぞれシャッターを示す側断面図及び平面図。
【図４】触媒ＣＶＤチャンバの電気的構成を示すブロック回路図。
【図５】触媒ＣＶＤチャンバの電気的構成を示すブロック回路図。
【符号の説明】
【００８８】
Ｓ…基板、１０…成膜装置としての半導体装置の製造装置、１５…触媒ＣＶＤチャンバ、２１…成膜室、２３…ガス供給部としてのガス供給系、３１…収容室としての退避室、３３…ブロック、３３ｈ…連通孔、３４…端子としてのホルダ、３５…昇降手段としての昇降機構、３６…触媒線、３６ｂ…直線部分、３７…開閉手段を構成するシャッター、３７ａ…開放スリット、３８…開閉手段を構成する開閉機構、４０…制御部。
【図１】
0005112909.tif 000002
【図２】
0005112909.tif 000003
【図３】
0005112909.tif 000004
【図４】
0005112909.tif 000005
【図５】
0005112909.tif 000006